(57)【要約】【課題】無線移動局が高速で移動している場合の通信セルの追加等にかかる制御を効率化できる無線移動局を提供する【解決手段】複数の無線基地局と通信しながら移動し得る無線移動局に、自局の移動速度を検出し、検出された移動速度が高速度であるか否かを判断する速度検出部３０３、通信セルの品質情報を無線基地局に送信する送信部３０２及び通信品質報告制御部３０６、品質情報に対応する通信セルを管理する無線基地局と現在通信している前記無線基地局とが同一であるか否かを判断する無線基地局識別部３０４、移動速度が高速であると判断され、かつ、無線基地局識別部３０４によって無線基地局が同一であると判断された場合、品質情報の送信を禁止する通信品質報告制御部３０６を設ける。【選択図】  図３
2010034688.tif 000002
【特許請求の範囲】
【請求項１】
複数の無線基地局の各々によって管理されている複数の通信セルのいずれかを選択することにより、移動しながら複数の前記無線基地局のうちのいずれかと通信する無線移動局であって、
自局の移動速度を検出する移動速度検出手段を備え、
前記移動速度検出手段によって検出された移動速度と、前記無線基地局と前記無線基地局によって管理される通信セルとの対応関係と、に基づいて、前記通信セルの選択を制御する通信セル選択制御手段と、
を備えることを特徴とする無線移動局。
【請求項２】
前記通信セル選択制御手段は、
前記無線基地局の各々によって管理されている通信セルにおける通信の品質を判定する通信品質判定手段と、
前記通信品質判定手段によって判定された通信品質にかかる品質情報を前記無線基地局に送信可能な通信品質報告手段と、
前記移動速度検出手段によって検出された移動速度が所定の閾値以上の速度であるか否か判断する高速判断手段と、
前記通信品質報告手段によって前記品質情報が送信された通信セルを管理する無線基地局と、現在通信している前記無線基地局とが同一であるか否かを判断する無線基地局判断手段と、
前記高速判断手段によって移動速度が前記閾値以上であると判断され、かつ、前記無線基地局判断手段によって、前記品質情報が送信された通信セルを管理する無線基地局と、現在通信している前記無線基地局とが同一であると判断された場合、前記通信品質報告手段による前記品質情報の送信を禁止する報告禁止手段と、
を備えることを特徴とする請求項１に記載の無線移動局。
【請求項３】
前記無線基地局の少なくとも一部が複数の通信セルを管理し、
前記品質情報は、複数の通信セルのうち、通信品質が最も高い通信セルに関する情報を含むことを特徴とする請求項１または２に記載の無線移動局。
【請求項４】
前記品質情報は、通信品質が所定の品質閾値に達するようになった通信セルに関する情報を含むことを特徴とする請求項１または２に記載の無線移動局。
【発明の詳細な説明】
【技術分野】
【０００１】
本発明は、無線移動局に係り、特に高速で移動し得る無線移動局に関する。
【背景技術】
【０００２】
無線移動局は、無線基地局を介して他の通信端末装置と無線通信することができる。無線基地局は、世界の広い範囲に多数設置され、それぞれが対応する通信セルと呼ばれるエリアに存在する無線移動局の無線通信を管理している。無線基地局は、自局によって管理されている通信セルに存在する無線移動局に対し、他の通信端末装置から送信された信号を中継して送信し、無線移動局と他の通信端末装置との無線通信を可能にしている。なお、１つの無線基地局に対応する通信セルは、１つである場合もあるし、複数の場合もある。
【０００３】
通信セルは、多くの場合、互いに、その少なくとも一部が重なるように設定されている。無線移動局は、重なった複数の通信セルのいずれかを管理する無線基地局と無線通信しながら移動する。このとき、無線移動局は、重なった通信セルのうち高い通信品質が得られる通信セルを選択し、選択された通信セルを管理する無線基地局を無線通信の対象に選択する。したがって、無線移動局の移動に連れて、移動する無線移動局の無線通信の対象となる無線基地局も変更される。
【０００４】
無線移動局は、無線通信の通信品質に関する情報を、無線基地局を含む、より上位の制御部に送信する。無線通信の品質に関する情報は報告値ともいう。また、本明細書では、無線基地局を含む、より上位の制御部を、以降無線通信システムと記す。
無線通信システムは、所定の通信セルにおける通信品質が向上して所定の閾値以上になったことを示す報告値を受信すると、この通信セルを、報告値を送信した無線移動局のアクティブセルに設定する。通信セルを新たにアクティブセルに設定することを、通信セルの追加とも記す。
【０００５】
なお、本明細書でいうアクティブセルとは、所定の通信品質以上の無線通信が可能な通信セルのうち、無線通信システムにより設定された通信セルである。したがって、所定の通信品質以上の通信が可能な通信セルであっても、無線通信システムによる設定がなされなければアクティブセルにはならないものとする。
反対に、無線通信システムは、所定の通信セルにおける通信品質が劣化して所定の閾値未満になったことを示す報告値を受信すると、この通信セルを、報告値を送信した無線移動局と無線通信不可能な非アクティブセルに設定する。アクティブセルであった通信セルを非アクティブセルに設定することを、通信セルの削除とも記す。
【０００６】
このような無線移動局の従来例としては、例えば、特許文献１、特許文献２が挙げられる。特許文献１、特許文献２に記載された発明では、いずれも、無線移動局が、一定の時間間隔で無線基地局に報告値を送信している。
より具体的には、無線移動局は、移動中に通信セルの通信品質に関する報告値を無線通信システムに送信する。報告値を受信した無線通信システムは、通信品質が閾値に達した通信セルをアクティブセルに順次追加し、通信品質が閾値に満たなくなった通信セルをアクティブセルから順次削除して非アクティブセルにする。
【０００７】
このような動作により、従来技術は、通信品質が閾値以上の通信セルだけをアクティブセルとし、無線移動局が移動しながらも通信品質の高い通信状態を維持することを可能にしている。
また、同時にアクティブセルになる通信セルの上限数が規定されている場合、通信セルの追加と同時に他の通信セルが削除される。さらに、複数の通信セルのうち、最も高い通信品質が得られる通信セルをベストセルといい、ベストセルは、無線通信システムによりチャネルを制御するサービングセル（Serving Cell）に設定される。
【特許文献１】特開２００７−２７８７７号公報
【特許文献２】特開２００８−１４７７７８号公報
【発明の開示】
【発明が解決しようとする課題】
【０００８】
しかしながら、このような従来技術では、無線移動局が高速で移動する場合、通信品質が短時間のうちに変化する。このため、通信セルの追加、削除が頻繁に行われ、追加や削除にかかる処理の負荷が高まることになる。
また、重なった複数の通信セルにおいて、同一の無線基地局によって管理されている場合もあるし、異なる無線基地局によって管理されている場合もある。ＨＳＵＰＡ(High Speed Packet Access)や、ＥＵＬ(Enhanced Uplink)のシステムにおいて、先にアクティブセルを管理していた無線基地局と異なる無線基地局によって管理されている通信セルを、先のアクティブセルに追加することを認めないように制御する仕様がある。このような仕様は、無線通信システムにおける制御の複雑化を避けるためのものである。アクティブセルに対し、アクティブセルを管理する無線基地局と異なる無線基地局によって管理されている通信セルを追加することを、「無線基地局装置をまたぐ通信セルの追加」ともいう。
【０００９】
無線基地局装置をまたぐ通信セルの追加を禁止する仕様では、無線通信システムが、他の無線基地局によって管理されている通信セルにベストセルが遷移すると、先に無線通信を行っていた無線基地局によって管理されているアクティブセルを全て削除する。
このようなシステムに前記した従来技術を適用すると、無線移動局が高速で移動している場合、先に無線通信を行っていた無線基地局によって管理されている通信セル同士で行われた追加、削除等の処理が短時間のうちに無駄になる。この点は、通信セルの追加や削除、さらにはベストセル選択の処理効率を低下させるものといえる。
本発明は、このような点に鑑みてなされたものであり、無線移動局の移動速度を検出し、無線移動局が高速で移動している場合の通信セルの追加等にかかる制御を効率化できる無線移動局を提供することを目的とする。
【課題を解決するための手段】
【００１０】
以上の課題を解決するため、本発明の請求項１に記載の無線移動局（無線移動局１０２：図２，無線移動局５０２：図５，無線移動局６０２：図６）は、複数の無線基地局（無線基地局１０１ａ〜１０１ｅ：図１，図２）の各々によって管理されている複数の通信セル（通信セルｃ７〜ｃ１０：図１，図２，図５，図６）のいずれかを選択することにより、移動しながら複数の前記無線基地局のうちのいずれかと通信する無線移動局であって、自局の移動速度を検出する移動速度検出手段（速度検出部３０３：図３）を備え、前記移動速度検出手段によって検出された移動速度と、前記無線基地局と前記無線基地局によって管理される通信セルとの対応関係と、に基づいて前記通信セルの選択を制御する通信セル選択制御手段（速度検出部３０３、無線基地局識別部３０４、通信品質測定部３０５、通信品質報告制御部３０６、制御部３０７、受信部３０１、送信部３０２：図３）と、を備えることを特徴とする。このような発明によれば、無線移動局が移動する速度に応じて通信セルの選択を変更することができる。このため、無線移動局が高速で移動して通信セル及びそれを管理する無線基地局が頻繁に切替わる場合と、通信セル及び無線基地局の切替間隔が長い場合とで通信セルの選択制御を変更することができる。したがって、無線移動局が高速で移動している場合の通信セルの追加等にかかる制御を効率化できる無線移動局を提供することができる。
【００１１】
また、請求項２に記載の無線移動局は、請求項１の発明において、前記通信セル選択制御手段は、前記無線基地局の各々によって管理されている通信セルにおける通信の品質を判定する通信品質判定手段（通信品質測定部３０５：図３）と、前記通信品質判定手段によって判定された通信品質にかかる品質情報を前記無線基地局に送信可能な通信品質報告手段（通信品質報告制御部３０６及び受信部３０１、送信３０２：図３）と、前記移動速度検出手段によって検出された移動速度が所定の閾値以上の速度であるか否か判断する高速判断手段（制御部３０７：図３）と、前記通信品質報告手段によって前記品質情報が送信された通信セルを管理する無線基地局と現在通信している前記無線基地局とが同一であるか否かを判断する無線基地局判断手段（無線基地局識別部３０４：図３）と、前記高速判断手段によって移動速度が前記閾値以上であると判断され、かつ、前記無線基地局判断手段によって、前記品質情報が送信された通信セルを管理する無線基地局と、現在通信している前記無線基地局とが同一であると判断された場合、前記通信品質報告手段による前記品質情報の送信を禁止する報告禁止手段（制御部３０７：図３）と、を備えることを特徴とする。このような発明によれば、無線基地局の各々によって管理されている通信セルの品質情報を送信するにあたり、自局が高速に移動している場合、品質情報送信の対象となる通信セルが今まで通信を行っていた無線基地局に管理されていれば品質情報を送信しないようにすることができる。このため、頻繁な通信セルの削除が予想される環境下では、短時間のうちに削除される通信セル同士の選択に関する制御を省き、通信セルの追加等にかかる制御を効率化できる無線移動局を提供することができる。
【００１２】
請求項３に記載の無線移動局は、請求項１または２に記載の発明において、前記無線基地局の少なくとも一部が複数の通信セルを管理し、前記品質情報は、複数の通信セルのうち、通信品質が最も高い通信セルに関する情報を含むことを特徴とする。このような構成によれば、通信品質が最も高いベストセルの遷移が同一の無線基地局によって管理されている通信セル内で起こった場合、サービングセル変更の処理を省いて通信セル選択制御の処理を効率化することができる。
請求項４に記載の無線移動局は、請求項１または２に記載の発明において、前記品質情報が、通信品質が所定の品質閾値に達するようになった通信セルに関する情報を含むことを特徴とする。このような構成によれば、同一の無線基地局によって管理されている通信セル間の追加の処理を省いて通信セル選択制御の処理を効率化することができる。
【発明の効果】
【００１３】
以上述べた本発明は、無線移動局が高速で移動していて、通信先の無線基地局の頻繁な変更が予想される場合、現在通信中の無線基地局によって管理されている複数の通信セル間の選択等にかかる制御を省くことができる。このため、選択から単時間のうちに解消されると思われる選択にかかる制御を省き、通信セルの追加等にかかる通信セル選択の制御を効率化することができる。
【発明を実施するための最良の形態】
【００１４】
以下、図を参照して本発明に係る無線移動局の実施形態１、実施形態２、実施形態３を説明する。
（前提技術）
図１は、本発明の実施形態１、実施形態２、実施形態３の前提技術を説明するための共通の図であって、図１は、ＥＵＬシステムの通信セルと物理チャネルとの関係を説明するための図である。本発明の実施形態１〜３は、いずれも、ＨＳＵＰＡやＥＵＬのシステムにおいて、無線基地局装置をまたぐ通信セルの追加を認めない仕様のものに適用することを前提にしている。
【００１５】
図１には、３つの無線基地局１０１ａ、１０１ｂ、１０１ｃと無線移動局１０２とによって形成される通信システムが記載されている。無線基地局１０１ａは、３つの通信セルｃ１、ｃ２、ｃ３を管理していて、無線基地局１０１ｂは、２つの通信セルｃ４、ｃ５を管理している。また、無線基地局１０１ｃは、通信セルｃ６を管理している。
無線移動局１０２は、通信セルｃ１〜ｃ６によって形成されるサービスエリアを移動しながら無線通信システムと無線通信している。通信セルｃ１〜ｃ６と無線移動局１０２との間には、応答用制御チヤネルＥ−ＡＧＣＨ、下りＥ−ＨＩＣＨ信号用のＥ−ＨＩＣＨチャネル、下りＥ−ＨＩＣＨ信号用のＥ−ＨＩＣＨチャネル、上りＥ−ＤＰＤＣＨの送信電力を制御するためのＥ−ＲＧＣＨチャネルが形成される。
【００１６】
図１では、通信セルｃ１が無線移動局１０２のサービングセルとなっていて、通信セルｃ１と共に通信セルｃ２、通信セルｃ３は無線基地局１０１ａによって管理されている。無線移動局１０２の無線基地局１０１ａ、１０１ｂ、１０１ｃをまたぐ追加は禁じられていて、通信セルｃ１と共に通信セルｃ２、通信セルｃ３は同時にアクティブセルになることが可能である。
このとき、通信セルｃ１と共に通信セルｃ２、通信セルｃ３のＥ−ＨＩＣＨチャネル、及びＥ−ＲＧＣＨチャネルはそれぞれ合成することが可能である。
また、通信セルｃ４、ｃ５、ｃ６、ｃ７は非アクティブセルである。無線基地局１０１ｂによって管理されているＥ−ＨＩＣＨチャネルは合成可能である。Ｅ−ＲＧＣＨチャネルの過負荷状態は通信セルごとに示される。無線移動局１０２の最大ハンドオーバー数は４つであり、Ｕｐｌｉｎｋ（E-DPCCH,E-DPDCH）はいずれの通信セルに届いてもよい。
【００１７】
本発明の実施形態１、実施形態２、実施形態３は、いずれも以上の通信システムにおいて通信セルの追加、削除、さらにはベストセルに関する制御をするものである。通信セルは通信品質に基づいて選択され、アクティブセルに追加されたり、アクティブセルから削除されて非アクティブセルになったりする。また、通信セルは複数のアクティブセル間における受信レベルの相対値な評価に基づいてサービングセルに選択される。このため、本実施形態では、通信セルの追加、削除、サービングセル全般を通信セルの選択処理とし、追加、削除、サービングセルに関する制御全般を通信セルの選択制御と記すものとする。
また、実施形態１、実施形態２、実施形態３では、いずれも無線移動局によって受信される信号の強度に基づいて通信品質を決定するものとする。受信信号の強度を受信レベルと記し、所定の閾値以上の受信レベルが得られる通信セルはアクティブセルになり得るものとする。
【００１８】
（実施形態１）
ＨＳＵＰＡや、ＥＵＬシステムでは、無線制御装置(図中ＲＮＣと記す)が送信する物理チャネルに関する情報が無線基地局間、または無線基地局内の通信セル間で異なる。このため、無線移動局が異なる無線基地局(図中にＢＴＳと記す)と同時に通信すると無線制御装置の処理が複雑になるために、無線基地局間をまたぐ通信セルの追加を行わない点に着目してなされたものである。
【００１９】
つまり、無線移動局が別の無線基地局の通信セルに移動し、無線移動局が別の通信セルにおける受信レベルが高くなったことを無線通信システムに報告値を送信して報告する。無線移動局の報告を契機に、無線通信システムが主導して、移動先の無線基地局の通信セルへのサービングセルのチェンジを行った後、直ちに無線通信中である移動元の無線基地局の通信セルを全て削除する。つまり、移動元の無線基地局内のサービングセルの変更を行っても、この変更が無駄になる頻度が高まり、サービングセル変更の処理効率を低下させる。
【００２０】
実施形態１は、短時間のうちに削除されてしまう通信セル同士におけるサービングセルの変更をなくし、通信セルのチェンジ処理効率を高めるものである。
図２（ａ）、（ｂ）は、実施形態１の概念を説明するための図であって、図２（ａ）は同一の無線移動局内における通信セルの追加の制御を説明するための図である。また、図２（ｂ）は、異なる無線移動局間における通信セルの追加の制御を説明するための図である。
【００２１】
図２（ａ）、（ｂ）に示したＲＮＣ２０１（Radio Network Controller）は、複数のＢＴＳ（Base Transceiver Station：無線基地局）１０１ｄ、１０１ｅを管理している。無線基地局を１０１ｄは通信セルｃ７〜ｃ９、無線基地局を１０１ｅは通信セルｃ１０を管理している。
無線移動局１０２は、通信セルｃ７〜通信セルｃ１０を含む領域を移動しながら受信レベルを報告値として無線通信システムに送信し、通信セルの追加、削除を行っている。この報告値を、図中にＭＲ(ｄ)と記す。
【００２２】
実施形態１では、この際、無線移動局の移動速度が閾値に達した、つまり高速で移動している場合、図２（ａ）に示すように、一つの無線基地局によって管理されている複数の通信セル間においては通信セルの追加のみを行い、ベストセルが遷移したことによるサービングセルの変更を行わないようにする。
つまり、実施形態１では、無線移動局１０２が当初通信セルｃ９をサービングセルとして無線通信しているうちにベストセルが通信セル９から通信セルｃ８へ遷移した場合にも、サービングセルを通信セルｃ９から通信セルｃ８へ変更をすることがない。なお、図中に示した通信セルｃ８を囲む破線は、通信セルｃ８がベストセルであることを示している。
【００２３】
無線移動局１０２は高速で移動しているから、ベストセルは短時間のうちに他の無線基地局１０１ｅに管理されている通信セルｃ１０に短時間のうちに切替わる。ＨＳＵＰＡやＥＵＬでは、無線基地局１０１ｄ、１０１ｅにまたがる通信セルの追加が禁止されているから、ベストセルが通信セルｃ１０に遷移したことにより、通信セルｃ７〜ｃ９は全て削除される。このとき、実施形態１によれば、短時間のうちに削除される通信セルｃ７〜ｃ９間におけるサービングセルの変更をなくし、サービングセルの変更にかかる処理を効率化することができる。
【００２４】
異なる無線基地局間における通信セルの追加は、図２（ｂ）のようにして行われる。すなわち、無線移動局１０２が移動し、通信セルｃ７、ｃ８、ｃ９がアクティブセルである状態から、通信セルｃ１０の受信レベルが最も高い状態に遷移した場合、無線移動局１０２は、一時的に通信セルのＲＬ（呼設定）をアクティブセルのＲＬに追加する。そして、通信セルｃ７、ｃ８、ｃ９全てのＲＬを削除し、通信セルｃ１０のみをアクティブセルに設定する。このような処理は、ＤＨＯ（Diversity Hand Over）と呼ばれている。
【００２５】
（構成）
図３は、実施形態１の無線移動局の構成を説明するための機能ブロック図である。
無線移動局は、複数の無線基地局と無線通信しながら移動し得る無線移動局であって、無線移動局自身（自局）の移動速度を検出する速度検出部３０３を備えている。そして、検出された移動速度と、無線基地局と前記無線基地局によって管理される通信セルとの対応関係と、に基づいて、通信セル選択制御を実行する。
【００２６】
通信セル選択制御のため、無線移動局は、各無線基地局によって管理されている通信セルにおける無線通信の品質を判定する通信品質測定部３０５と、判定された通信品質にかかる品質情報を無線基地局に送信可能な通信品質報告制御部３０６と、受信部３０１と送信部３０２と、速度検出部３０３によって検出された移動速度が所定の閾値以上の速度であるか否か判断する制御部３０７と、品質情報が送信された通信セルを管理する無線基地局と現在無線通信している無線基地局とが同一であるか否かを判断する無線基地局識別部３０４とを備えている。
【００２７】
制御部３０７は、図３に示した構成を統括的に制御する。実施形態１では、制御部３０７が移動速度が閾値以上の速度であるか否か判断し、移動速度が閾値以上であると判断され、かつ、無線基地局識別部３０４によって、品質情報が送信された通信セルを管理する無線基地局と現在無線通信している無線基地局とが同一であると判断された場合、通信品質報告制御部３０６による品質情報の送信を禁止する。
速度検出部３０３は、無線移動局１０２の移動速度を検出する構成であって、例えば、無線基地局から送信される電波信号の瞬時値を測定し、瞬時値から単位時間当たりの電波信号のレベル落ち込み回数を計数する構成とすることができる。「レベル落ち込み」とは、電波信号のレイリー変動によって起こる現象であり、電波信号の半波長程度の間隔でレベルが低下するものをいう。
【００２８】
このような速度検出部３０３によれば、電波信号の波長をλ、単位時間をｔ、単位時間当たりのレベル落ち込み回数をｎとすると、以下の式によって無線移動局１０２の移動速度ｖを求めることができる。
ｖ＝（ｎ・λ／２）／ｔ
ただし、本実施形態の速度検出部３０３は、このような構成に限定されるものではない。例えば、無線移動局１０２に備えられるＧＰＳ（Global Positioning System）機能を利用することも可能である。
【００２９】
無線基地局識別部３０４は、アクティブセルを管理している無線基地局を識別する。無線基地局の識別に関数する情報は、例えば、無線基地局が送信する報知情報の周辺セル情報に含まれるものを利用することができる。周辺セル情報には、スクランブリングコードや無線基地局のマッピングが含まれている。
通信品質測定部３０５は、受信レベルが閾値を超えているか否か、あるいは最も高い受信レベルが得られるベストセルを判定する構成である。通信品質報告制御部３０６は、信号の受信レベルが高まって閾値に達した、あるいは低下して閾値に満たなくなった、さらにはベストセルが遷移したことを無線通信システムに報告する構成である。
【００３０】
図３に示した無線移動局では、速度検出部３０３によって無線移動局１０２の移動速度が検出される。制御部３０７は、検出された移動速度を予め記憶されている閾値と比較し、移動速度が閾値に達している場合に無線移動局１０２が高速移動していると判断する。
このとき、通信品質測定部３０５は、無線基地局から送信された信号の受信レベルから通信品質を測定する。測定により、前回の測定時に最も受信レベルが高かった通信セルよりも高い受信レベルが得られる通信セルがある場合、ベストセルが遷移したと判断する。ベストセルの遷移を示す情報は、制御部３０７に入力される。
【００３１】
制御部３０７は、無線基地局識別部３０４によって無線通信中の無線基地局の変更がないと判断された場合、つまり、無線基地局をまたぐ通信セルの追加が行われていない場合、ベストセルが遷移しても、この報告値を送信しないように通信品質報告制御部３０６に指示する。このようにすれば、無線通信システムはベストセルの遷移を認識することができず、直前にサービングセルに設定されていた通信セルがそのままサービングセルとして機能する。
【００３２】
また、速度検出部３０３によって検出された移動速度が閾値未満であって、かつ、ベストセルの遷移があった場合、制御部３０７は、無線通信を行っている無線基地局の変更の有無に関わらず、通信品質報告制御部３０６にベストセルの遷移を示す報告値を無線通信システムに送信させる。このようにすれば、無線通信システムはベストセルの遷移を認識し、新たにベストセルになった通信セルをサービングセルに設定する。
【００３３】
（動作）
図４は、以上説明した実施形態１の無線移動局の動作を説明するためのフローチャートである。無線移動局は、図３に示した速度検出部３０３によって自局の移動速度を検出する（ステップＳ４０１）。図３に示した制御部３０７は、検出された移動速度を所定の閾値と比較し、移動速度が「高速」のレベルにあるか否か判断する（ステップＳ４０２）。
図３に示した通信品質測定部３０５は、無線基地局によってブロードキャストされた信号等を受信し、受信された信号に基づいて各通信セルにおける通信品質を測定する（ステップＳ４０３）。実施形態１の通信品質の測定は、受信された信号の受信レベルに基づいて行われる。
【００３４】
図３に示した無線基地局識別部３０４は、現在アクティブセルを管理している無線基地局を認識する（ステップＳ４０４）。そして、新たにベストセルになった通信セルを管理している次の無線基地局が、現在無線通信している元の無線基地局と相違しているか否か判断する（ステップＳ４０５）。元の無線基地局と次の無線基地局とが相違する場合（ステップＳ４０５：Ｙｅｓ）、図３に示した通信品質報告制御部３０６が、ベストセルが遷移したことを示す報告値を無線通信システムに送信する（ステップＳ４０６）。
【００３５】
一方、元の無線基地局と次の無線基地局とが同一であれば（ステップＳ４０５：Ｎｏ）、図３に示した通信品質報告制御部３０６は、報告値を無線通信システムに送信しない（ステップＳ４０７）。
また、制御部３０７が、検出された移動速度が閾値に満たないと判断した場合、無線移動局は高速で移動していないと判断される（ステップＳ４０２：Ｎｏ）。このような場合、図３に示した通信品質測定部３０５は、ブロードキャストされた信号等基づいて各通信セルにおける通信品質を測定する（ステップＳ４０８）。そして、無線基地局の変更の有無によらず、図３に示した通信品質報告制御部３０６が報告値を無線通信システムに送信する（ステップＳ４０９）。
【００３６】
（実施形態２）
次に、本発明の実施形態２の無線移動局について説明する。実施形態２の無線移動局は、図３で説明した実施形態１の無線移動局と同様に構成されている。このため、実施形態２では、無線移動局の機能ブロック図及び処理のフローチャートを略すものとする。
実施形態２は、無線移動局が高速で移動して頻繁に無線基地局の変更が発生する場合、先に無線通信していた無線基地局に管理されていた通信セルの全削除が頻繁に発生する点に着目してなされたものである。そして、無線移動局が高速で移動している場合、同一の無線基地局によって管理されている通信セルの追加を禁止し、通信セル選択制御の処理効率を高めるものである。
【００３７】
図５（ａ）、（ｂ）は、実施形態２の概念を説明するための図であって、図２（ａ）は同一の無線移動局内における通信セルの追加の制御を説明するための図である。また、図２（ｂ）は、異なる無線移動局間における通信セルの追加の制御を説明するための図である。図５（ａ）、（ｂ）は図２（ａ）、（ｂ）に示した構成と同様の構成を含んでいる。このため、同様の構成については同様の符号を付して示し、説明を一部略す。図５（ａ）では、無線基地局１０１ｄが通信セルｃ７〜ｃ９を管理し、無線基地局１０１ｅが通信セルｃ１０を管理している。
【００３８】
図５（ａ）に示した例では、当初、通信セルｃ７だけがアクティブセルであり、無線移動局５０２と無線通信している。実施形態２の無線移動局５０２は、無線移動局１０２と同様に、図３に示した速度検出部３０３を備えていて、自局の移動速度を検出している。そして、検出された移動速度を閾値と比較し、移動速度が高速であるか否か判断する。
ここで、通信セルｃ８の受信レベルが高まって閾値に達すると、無線移動局５０２は、移動速度が高速と判断されていない場合には報告値を送信する。報告値の送信により、無線通信システムは、通信セルｃ８の受信レベルが閾値以上になったことを認識し、通信セルｃ８を無線移動局５０２のアクティブセルに追加する。
【００３９】
一方、無線移動局５０２は、移動速度が高速と判断されていて、かつ、新たにアクティブセルになった通信セルｃ８を管理している次の無線基地局が、現在の無線通信先である元の無線基地局と相違しているか否か判断する。判断の結果、元の無線基地局と次の無線基地局とが同一である場合、報告値を送信しない。無線通信システムは、通信セルｃ８の受信レベルが閾値以上になったことを認識することができないから、通信セルｃ８をアクティブセルに追加することがない。
【００４０】
なお、実施形態２において、無線通信先を無線基地局１０１ｄから無線基地局１０１ｅに変更する処理は、図５（ｂ）に示すように、無線移動局５０２と通信セルｃ９とが未だ無線通信している状態で通信セルｃ１０のＲＬを一時的に通信セルｃ９にＲＬに追加する。そして、通信セル１０のＲＬの追加後、通信セルｃ９のＲＬを削除することにより、無線通信が途切れることがない良好なハンドオーバーを実現することができる。
【００４１】
（実施形態３）
次に、本発明の実施形態３の無線移動局について説明する。実施形態３の無線移動局は、図３で説明した実施形態１の無線移動局と同様に構成されている。このため、実施形態３では、無線移動局の機能ブロック図及び処理のフローチャートを略すものとする。
実施形態３は、無線移動局が高速で移動して頻繁に無線基地局の変更が発生する場合、先に無線通信していた無線基地局に管理されていた通信セルの全削除が頻繁に発生する点に着目してなされたものである。そして、無線移動局が高速で移動している場合、同一の無線基地局によって管理されている通信セル間におけるサービングセルの変更及び通信セルの追加を禁止し、通信セルの選択制御の処理効率を高めるものである。
【００４２】
図６（ａ）、（ｂ）は、実施形態３の概念を説明するための図であって、図６（ａ）は同一の無線移動局内における通信セルの追加の制御を説明するための図である。また、図６（ｂ）は、異なる無線移動局間における通信セルの追加の制御を説明するための図である。
図６（ａ）、（ｂ）は図２（ａ）、（ｂ）、図５（ａ）、（ｂ）に示した構成と同様の構成を含み、同様の構成については同様の符号を付して示し、説明を一部略す。図６（ａ）では、無線基地局１０１ｄが通信セルｃ７〜ｃ９を管理し、無線基地局１０１ｅが通信セルｃ１０を管理している。
図６（ａ）に示した例では、当初、通信セルｃ７だけがアクティブセルとして、無線移動局６０２と無線通信している。実施形態３の無線移動局６０２は、無線移動局１０２と同様に、図３に示した速度検出部３０３を備えていて、自局の移動速度を検出している。そして、検出された移動速度を閾値と比較し、移動速度が高速であるか否か判断する。
【００４３】
ここで、通信セルｃ８の受信レベルが高まって閾値に達すると、無線移動局６０２は、移動速度が高速と判断されていない場合には報告値を送信する。報告値の送信により、無線通信システムは、通信セルｃ８の受信レベルが閾値以上になったことを認識して通信セルｃ８をアクティブセルに追加する。さらに、追加された通信セルｃ８の受信レベルが通信セルｃ９の受信レベルよりも高まった場合、無線移動局６０２は、ベストセルが遷移したことを無線通信システムに報告する。報告により、無線通信システムは、遷移後のベストセルをサービングセルに設定する。
【００４４】
一方、無線移動局６０２は、移動速度が高速と判断されていて、かつ、新たにアクティブセルになった通信セルを管理する次の無線基地局が、現在の無線通信先である元の無線基地局と同一である場合、報告値を送信しない。無線通信システムは、通信セルｃ８の受信レベルが閾値以上になったことを認識することができないから、通信セルｃ８を無線移動局６０２と無線通信するアクティブセルに追加することがない。
【００４５】
さらに、無線移動局６０２は、高速移動していて、かつ、次の無線基地局が元の無線基地局と同一である場合、ベストセルが遷移したことを無線通信システムに報告しない。このため、無線通信システムは、同一の無線基地局内でサービングセルを変更することがない。
なお、実施形態３においても、無線通信先を無線基地局１０１ｄから無線基地局１０１ｅを変更する処理は、図６（ｂ）に示すように、無線移動局６０２と通信セルｃ９とが未だ無線通信している状態で通信セルｃ１０のＲＬをアクティブセルｃ９のＲＬに一時的に追加する。そして、通信セルｃ９のＲＬを削除することにより、無線通信が途切れることがない良好なハンドオーバーを実現することができる。
【００４６】
（応用例）
次に、以上述べた実施形態１〜３の応用例を説明する。
図７は、無線通信システムが無線移動局と協働して通信セルの選択制御をする構成を例示した図である。図７に示した構成は、ＲＮＣに設けられ、無線移動局と無線通信する無線基地局を識別し、識別の結果を示す情報（無線基地局識別情報）を送信するための無線基地局識別情報送信部７０２を備えている。無線基地局識別情報は、送信部７０１によって無線移動局に送信される。制御部７０３は、無線基地局識別情報送信部７０２及び送信部７０１を制御している。
このとき、無線移動局は、無線基地局識別情報を受信し、無線基地局の変更があったか否か判断する。そして、図３に示した速度検出部３０３によって検出された速度が閾値に達していて、かつ、無線基地局の変更がない場合にのみ、ベストセルの遷移や、新たに受信レベルが閾値以上になった通信セルを無線通信システムに報告しないように制御する。
【００４７】
図８は、無線通信システムが通信セルの選択を制御する構成を例示した図である。図８に示した構成は、ＲＮＣに設けられ、信号を送受信する送信部８０２及び受信部８０１、無線移動局の速度検出部８０３、無線基地局と無線通信を行っている無線基地局を識別するための無線基地局識別部８０４、通信セルの追加や削除、サービングセルの変更のために無線移動局の受信レベルを判定する通信品質解析部８０５、以上の構成を統括的に制御する制御部８０６を備えている。
【００４８】
図８に示した例では、無線通信システムが、無線移動局の速度を検出する。通信品質解析部８０５は、無線移動局によって送信された報告値を解析し、通信セルの受信レベルを検出する。制御部８０６は、検出された移動速度が閾値に達していて、かつ、受信レベルが新たに閾値に達した通信セルを管理する次の無線基地局が、現在無線通信している元の無線基地局と同一である場合にはアクティブセルの追加がされないように制御する。また、ベストセルに遷移した通信セルを管理する次の無線基地局が元の無線基地局と同一である場合にも、サービングセルの変更がなされないように制御する。
【００４９】
図９は、図８に示した構成の動作を説明するためのフローチャートである。図８に示した構成は、速度検出部８０３によって自局の移動速度を検出する（ステップＳ９０１）。図８に示した制御部８０６は、検出された移動速度を所定の閾値と比較し、移動速度が「高速」のレベルにあるか否か判断する（ステップＳ９０２）。
図８に示した通信品質解析部８０５は、無線移動局によって送信された信号を受信し、受信された信号に基づいて各通信セルにおける通信品質を解析する。図８に示した無線基地局識別部８０４は、新たに受信レベルが閾値に達した通信セルやベストセルに遷移した通信セルを管理している次の無線基地局が、現在の無線通信先である元の無線基地局と相違しているか否か判断する（ステップＳ９０４）。元の無線基地局と次の無線基地局とが相違する場合（ステップＳ９０４：Ｙｅｓ）、図８に示した制御部８０６は、通信セルの追加、あるいはサービングセルの変更のための処理を実行する（ステップＳ９０５）。
【００５０】
一方、無線基地局が同一であれば（ステップＳ９０４：Ｎｏ）、図８に示した制御部８０６は、通信セルの追加、あるいはサービングセルの変更のための処理を実行しない（ステップＳ９０６）。
さらに、制御部８０６が、検出された移動速度が閾値に満たないと判断した場合、無線移動局は高速で移動していないと判断される（ステップＳ９０２：Ｎｏ）。このとき、図８に示した通信品質解析部８０５は、各通信セルにおける通信品質を解析する。制御部８０６は、無線基地局の変更の有無によらず、信号品質の解析結果にしたがってサービングセルの変更やアクティブセルの追加を実行する（ステップＳ９０７）。
【図面の簡単な説明】
【００５１】
【図１】本発明の実施形態の前提技術を説明するための図であって、ＥＵＬシステムの通信セルと物理チャネルとの関係を説明するための図である。
【図２】本発明の実施形態１の概念を説明するための図である。
【図３】本発明の実施形態１の無線移動局の構成を説明するための機能ブロック図である。
【図４】本発明の実施形態１の無線移動局の動作を説明するためのフローチャートである。
【図５】本発明の実施形態２の概念を説明するための図である。
【図６】本発明の実施形態３の概念を説明するための図である。
【図７】無線通信システムが無線移動局と協働して通信セルの選択を制御する構成の例である。
【図８】無線通信システムが通信セルの選択を制御する構成の例である。
【図９】図８に示した構成の動作を説明するためのフローチャートである。
【符号の説明】
【００５２】
１０１ａ〜１０１ｅ無線基地局
１０２，５０２，６０２  無線移動局
２０１  ＲＮＣ
３０１，８０１  受信部
３０２，７０１，８０２  送信部
３０３，８０３  速度検出部
３０４，８０４  無線基地局識別部
３０５  通信品質測定部
３０６  通信品質報告制御部
３０７，８０６  制御部
７０２  無線基地局識別情報送信部
８０５  通信品質解析部
【図１】
2010034688.tif 000003
【図２】
2010034688.tif 000004
【図３】
2010034688.tif 000005
【図４】
2010034688.tif 000006
【図５】
2010034688.tif 000007
【図６】
2010034688.tif 000008
【図７】
2010034688.tif 000009
【図８】
2010034688.tif 000010
【図９】
2010034688.tif 000011